【手続補正書】
【提出日】平成23年8月15日(2011.8.15)
【手続補正１】
【補正対象書類名】特許請求の範囲
【補正対象項目名】全文
【補正方法】変更
【補正の内容】
【特許請求の範囲】
【請求項１】
１以上のコンテンツ再生装置と１以上のコンテンツ保持装置とが接続されたネットワークに接続して通信を行うための通信手段と、
前記ネットワークに接続された前記コンテンツ再生装置が再生中のコンテンツの所在照会要求を形成し、前記ネットワーク上の１以上のコンテンツ再生装置に対して前記通信手段を通じて送信する所在照会要求送信手段と、
前記所在照会要求に応じて前記ネットワークを通じて送信されてくる再生中のコンテンツの所在照会応答を、前記通信手段を通じて受信する所在照会応答受信手段と、
受信した前記所在照会応答に基づいて、再生中のコンテンツを保持するコンテンツ保持装置に対し、再生中のコンテンツの提供要求を形成して、前記通信手段を通じて送信する提供要求送信手段と、
前記提供要求に応じて前記ネットワークを通じて送信されてくるコンテンツを、前記通信手段を通じて受信するコンテンツ受信手段と
を備える携帯電子機器。
【請求項２】
請求項１に記載の携帯電子機器であって、
コンテンツを再生している機器の機器照会要求を形成し、前記ネットワーク上の機器に対して前記通信手段を通じて送信する機器照会要求送信手段と、
前記機器照会要求に応じて前記ネットワークを通じて送信されてくるコンテンツを再生している機器を通知する機器照会応答を、前記通信手段を通じて受信する機器照会応答受信手段と
を備え、
前記所在照会要求送信手段は、前記機器照会応答受信手段を通じて受信した前記機器照会応答により通知されたコンテンツの再生中のコンテンツ再生装置に対して、前記所在照会要求を送信する携帯電子機器。
【請求項３】
請求項１に記載の携帯電子機器であって、
コンテンツを再生している機器の機器照会要求を形成し、前記ネットワーク上の装置に対して前記通信手段を通じて送信する機器照会要求送信手段と、
前記機器照会要求に応じて前記ネットワークを通じて送信されてくる再生中の機器を通知する機器照会応答を、前記通信手段を通じて受信する機器照会応答受信手段と、
前記機器照会応答受信手段を通じて複数のコンテンツ再生装置から前記機器照会応答を受信した場合に、複数の前記機器照会応答に基づいて、コンテンツ再生装置を選択するための再生機器選択画面を表示手段に表示する表示制御手段と、
前記再生機器選択画面から目的とするコンテンツ再生装置の選択入力を受け付ける選択入力受付手段と
を備え、
前記所在照会要求送信手段は、前記選択入力受付手段を通じて選択されたコンテンツ再生装置の前記機器照会応答により特定されるコンテンツ再生装置に対して、前記所在照会要求を送信する携帯電子機器。
【請求項４】
請求項１に記載の携帯電子機器であって、
コンテンツの提供態様の指示入力を受け付ける提供態様受付手段を備え、
前記提供要求送信手段は、前記提供態様受付手段を通じて受け付けた提供態様でコンテンツを提供するように要求する提供要求を形成して送信する携帯電子機器。
【請求項５】
請求項４に記載の携帯電子機器であって、
コンテンツの前記提供態様は、再生中のコンテンツのみの提供を要求する態様と、再生中のコンテンツを含む所定のグループの複数のコンテンツの提供を要求する態様と、再生中のコンテンツの作成者あるいは実演者に応じて特定されるコンテンツの提供を要求する態様と、再生中のコンテンツを含むジャンルに属するコンテンツの提供を要求する態様のうちの１つ以上を含む携帯電子機器。
【請求項６】
１以上の携帯電子機器と１以上のコンテンツ保持装置とが接続されるネットワークに接続して通信を行うための通信手段と、
自機に保持しているコンテンツを、あるいは、前記ネットワークを通じてコンテンツ保持装置から自機宛に送信され前記通信手段を通じて受信するコンテンツを再生する再生手段と、
前記ネットワークを通じて送信されてくる自機宛の再生中のコンテンツの所在照会要求を、前記通信手段を通じて受信する所在照会要求受信手段と、
前記再生手段を通じてコンテンツを再生している場合であって、前記所在照会要求受信手段を通じて自機宛の前記所在照会要求を受信したときに、再生中のコンテンツの所在を通知する所在照会応答を形成し、前記通信手段を通じて送信する所在照会応答送信手段と
を備えるコンテンツ再生装置。
【請求項７】
請求項６に記載のコンテンツ再生装置であって、
前記ネットワークを通じて送信されてくるコンテンツを再生している機器の機器照会要求を、前記通信手段を通じて受信する機器照会要求受信手段と、
前記再生手段を通じてコンテンツを再生している場合であって、前記機器照会要求受信手段を通じて前記機器照会要求を受信したときに、自機がコンテンツ再生中であることを示す機器照会応答を形成して前記通信手段を通じて送信する機器照会応答送信手段と
を備えるコンテンツ再生装置。
【請求項８】
１以上のコンテンツ再生装置と１以上のコンテンツ保持装置とが接続されたネットワークに通信手段を通じて接続する接続工程と、
前記ネットワークに接続された前記コンテンツ再生装置が再生中のコンテンツの所在照会要求を形成し、前記ネットワーク上のコンテンツ再生装置に対して前記通信手段を通じて送信する所在照会要求送信工程と、
前記所在照会要求に応じて前記ネットワークを通じて送信されてくる再生中のコンテンツの所在照会応答を、前記通信手段を通じて受信する所在照会応答受信工程と、
受信した前記所在照会応答に基づいて、再生中のコンテンツを保持するコンテンツ保持装置に対し、再生中のコンテンツの提供要求を形成して、前記通信手段を通じて送信する提供要求送信工程と、
前記提供要求に応じて前記ネットワークを通じて送信されてくるコンテンツを、前記通信手段を通じて受信するコンテンツ受信工程と
を有するコンテンツ取得方法。
【請求項９】
請求項８に記載のコンテンツ取得方法であって、
コンテンツを再生している機器の機器照会要求を形成し、前記ネットワーク上の装置に対して前記通信手段を通じて送信する機器照会要求送信工程と、
前記機器照会要求に応じて前記ネットワークを通じて送信されてくる再生中の機器を通知する機器照会応答を、前記通信手段を通じて受信する機器照会応答受信工程と
を有し、
前記所在照会要求送信工程においては、前記機器照会応答受信工程において受信した前記機器照会応答により通知されたコンテンツの再生中のコンテンツ再生装置に対して、前記所在照会要求を送信するコンテンツ取得方法。
【請求項１０】
請求項８に記載のコンテンツ取得方法であって、
コンテンツを再生している機器の機器照会要求を形成し、前記ネットワーク上の装置に対して前記通信手段を通じて送信する機器照会要求送信工程と、
前記機器照会要求に応じて前記ネットワークを通じて送信されてくる再生中の機器を通知する機器照会応答を、前記通信手段を通じて受信する機器照会応答受信工程と、
前記機器照会応答受信工程において複数のコンテンツ再生装置から前記機器照会応答を受信した場合に、複数の前記機器照会応答に基づいて、コンテンツ再生装置を選択するための再生機器選択画面を表示手段に表示する表示制御工程と、
前記再生機器選択画面から目的とするコンテンツ再生装置の選択入力を選択入力受付手段を通じて受け付ける選択入力受付工程と
を有し、
前記所在照会要求送信工程においては、前記選択入力受付工程において受け付けた前記選択入力に応じたコンテンツ再生装置の前記機器照会応答により特定されるコンテンツ再生装置に対して、前記所在照会要求を送信するコンテンツ取得方法。
【請求項１１】
請求項８に記載のコンテンツ取得方法であって、
コンテンツの提供態様の指示入力を、提供態様受付手段を通じて受け付ける提供態様受付工程を有し、
前記提供要求送信工程においては、前記提供態様受付工程を通じて受け付けた提供態様で再生中のコンテンツを提供するように要求する提供要求を形成して送信するコンテンツ取得方法。
【請求項１２】
請求項１１に記載のコンテンツ取得方法であって、
コンテンツの前記提供態様は、再生中のコンテンツのみの提供を要求する態様と、再生中のコンテンツを含む所定のグループの複数のコンテンツの提供を要求する態様と、再生中のコンテンツの作成者あるいは実演者に応じて特定されるコンテンツの提供を要求する態様と、再生中のコンテンツを含むジャンルに属するコンテンツの提供を要求する態様のうちの１つ以上を含むコンテンツ取得方法。
【請求項１３】
１以上の携帯電子機器と１以上のコンテンツ保持装置とが接続されるネットワークに通信手段を通じて接続する接続工程と、
自機に保持しているコンテンツを、あるいは、前記ネットワークを通じてコンテンツ保持装置から自機宛に送信され前記通信手段を通じて受信するコンテンツを、再生手段を通じて再生する再生工程と、
前記ネットワークを通じて送信されてくる自機宛の再生中のコンテンツの所在照会要求を、前記通信手段を通じて受信する所在照会受信工程と、
前記再生手段を通じてコンテンツを再生している場合であって、前記所在照会受信工程において自機宛の前記所在照会要求を受信したときに、再生中のコンテンツの所在を通知する所在照会応答を形成し、前記通信手段を通じて送信する所在照会応答送信工程と
を有するコンテンツの所在通知方法。
【請求項１４】
請求項１３に記載のコンテンツの所在通知方法であって、
前記ネットワークを通じて送信されてくるコンテンツを再生している機器の機器照会要求を、前記通知手段を通じて受信する機器照会要求受信工程と、
前記再生手段を通じてコンテンツを再生している場合であって、前記機器照会要求受信工程において前記機器照会要求を受信したときに、自機がコンテンツ再生中であることを示す機器照会応答を形成して前記通信手段を通じて送信する機器照会応答送信工程と
を有するコンテンツの所在通知方法。
【請求項１５】
１以上のコンテンツ再生装置と１以上のコンテンツ保持装置とが接続されたネットワークに通信手段を通じて接続する接続ステップと、
前記ネットワークに接続された前記コンテンツ再生装置が再生中のコンテンツの所在照会要求を形成し、前記ネットワーク上のコンテンツ再生装置に対して前記通信手段を通じて送信する所在照会要求送信ステップと、
前記所在照会要求に応じて前記ネットワークを通じて送信されてくる再生中のコンテンツの所在照会応答を、前記通信手段を通じて受信する所在照会応答受信ステップと、
受信した前記所在照会応答に基づいて、再生中のコンテンツを保持するコンテンツ保持装置に対し、再生中のコンテンツの提供要求を形成して、前記通信手段を通じて送信する提供要求送信ステップと、
前記提供要求に応じて前記ネットワークを通じて送信されてくるコンテンツを、前記通信手段を通じて受信するコンテンツ受信ステップと
を携帯電子機器に搭載されたコンピュータが実行するコンピュータ読み取り可能なコンテンツ取得プログラム。
【請求項１６】
１以上の携帯電子機器と１以上のコンテンツ保持装置とが接続されるネットワークに通信手段を通じて接続する接続ステップと、
自機に保持しているコンテンツを、あるいは、前記ネットワークを通じてコンテンツ保持装置から自機宛に送信され前記通信手段を通じて受信するコンテンツを、再生手段を通じて再生する再生ステップと、
前記ネットワークを通じて送信されてくる自機宛の再生中のコンテンツの所在照会要求を、前記通信手段を通じて受信する所在照会要求受信ステップと、
前記再生手段を通じてコンテンツを再生している場合であって、前記所在照会要求受信ステップにおいて前記所在照会要求を受信したときに、再生中のコンテンツの所在を通知する所在照会応答を形成し、前記通信手段を通じて送信する所在照会応答ステップと
をコンテンツ再生装置に搭載されたコンピュータが実行するコンピュータ読み取り可能なコンテンツ所在通知プログラム。
【請求項１７】
１以上のコンテンツ再生装置と１以上のコンテンツ保持装置とが接続されたネットワークに接続して通信を行うための通信手段と、
前記ネットワークに接続された前記コンテンツ再生装置が再生中のコンテンツの所在照会要求を形成し、前記ネットワーク上のコンテンツ再生装置に対して前記通信手段を通じて送信する所在照会要求送信手段と、
前記所在照会要求に応じて前記ネットワークを通じて送信されてくる再生中のコンテンツの所在照会応答を、前記通信手段を通じて受信する所在照会応答受信手段と、
受信した前記所在照会応答に基づいて、再生中のコンテンツを保持するコンテンツ保持装置に対し、再生中のコンテンツの提供要求を形成して、前記通信手段を通じて送信する提供要求送信手段と、
前記提供要求に応じて前記ネットワークを通じて送信されてくるコンテンツを、前記通信手段を通じて受信するコンテンツ受信手段と
を備えた携帯電子機器と、
１以上の携帯電子機器と１以上のコンテンツ保持装置とが接続されるネットワークに接続して通信を行うための通信手段と、
自機に保持しているコンテンツを、あるいは、前記ネットワークを通じてコンテンツ保持装置から自機宛に送信され、前記通信手段を通じて受信するコンテンツを再生する再生手段と、
前記ネットワークを通じて送信されてくる自機宛の再生中のコンテンツの所在照会要求を、前記通信手段を通じて受信する所在照会要求受信手段と、
前記再生手段を通じてコンテンツを再生している場合であって、前記所在照会要求受信手段を通じて自機宛の前記所在照会要求を受信したときに、再生中のコンテンツの所在を通知する所在照会応答を形成し、前記通信手段を通じて送信する所在照会応答送信手段と
を備えるコンテンツ再生装置と、
１以上の携帯電子機器と１以上のコンテンツ再生装置とが接続されるネットワークに接続して通信を行うための通信手段と、
前記ネットワークを通じて送信されてくる自機宛のコンテンツの提供要求を、前記通信手段を通じて受信する提供要求受信手段と、
受信したコンテンツの前記提供要求に基づいて、要求されたコンテンツを前記通信手段を通じて要求元の携帯電子機器に送信するコンテンツ送信手段と
を備えたコンテンツ保持装置と
からなるコンテンツ利用システム。
【手続補正２】
【補正対象書類名】明細書
【補正対象項目名】０００５
【補正方法】変更
【補正の内容】
【０００５】
ＨＤＤレコーダでコンテンツＡを再生している場合に、当該コンテンツＡの再生を中断すると、そのコンテンツＡについての再生中断情報を携帯端末に送信し、携帯端末に保持する。
【手続補正３】
【補正対象書類名】明細書
【補正対象項目名】０００６
【補正方法】変更
【補正の内容】
【０００６】
携帯端末を持って移動したユーザー（使用者）は、移動先のネットワークＡＶプレーヤに対して、携帯端末を用いて上記中断したコンテンツＡの再生を要求する。
【手続補正４】
【補正対象書類名】明細書
【補正対象項目名】０００７
【補正方法】変更
【補正の内容】
【０００７】
すると、ネットワークＡＶプレーヤが、ＨＤＤレコーダに当該コンテンツＡの提供を要求し、ＨＤＤレコーダからのコンテンツＡをネットワークＡＶプレーヤが再生する。
【手続補正５】
【補正対象書類名】明細書
【補正対象項目名】００１９
【補正方法】変更
【補正の内容】
【００１９】
コンテンツを再生しているコンテンツ再生装置は、携帯電子機器からの所在照会要求に応じて、再生中のコンテンツの所在を示す所在照会応答を形成して送信してくるので、当該所在照会応答を所在照会応答受信手段が通信手段を介して受信する。
【手続補正６】
【補正対象書類名】明細書
【補正対象項目名】００２２
【補正方法】変更
【補正の内容】
【００２２】
この場合、受信したコンテンツは、所定の記録媒体に記録されて利用できるようにされたり、そのまま再生したりすることができるようにされる。すなわち、ダウンロードして記憶保持するようにしたり、ストリーミング再生するようにしたりして利用することができるようにされる。
【手続補正７】
【補正対象書類名】明細書
【補正対象項目名】００３２
【補正方法】変更
【補正の内容】
【００３２】
そして、所在照会要求送信手段により、選択入力受付手段を通じて受け付けたユーザーからの選択入力によって特定されるコンテンツ再生中のコンテンツ再生装置に対して所在照会要求が送信される。
【手続補正８】
【補正対象書類名】明細書
【補正対象項目名】００５６
【補正方法】変更
【補正の内容】
【００５６】
さらに、第１の実施の形態のホームネットワークシステムにおいては、応用として、ある音楽コンテンツがＤＬＮＡ対応機器で再生されている場合、ユーザーが、その音楽コンテンツを含むアルバムの全曲をダウンロードするといった新たな機能をも実現する。
【手続補正９】
【補正対象書類名】明細書
【補正対象項目名】００６１
【補正方法】変更
【補正の内容】
【００６１】
制御ライン１０１には、図２に示すように、ＣＰＵ（Central Processing Unit）１３０、通信回路１０４、ＲＯＭ（Read Only Memory）１０９、ＲＡＭ（Random Access Memory）１１０が接続されている。
【手続補正１０】
【補正対象書類名】明細書
【補正対象項目名】００７１
【補正方法】変更
【補正の内容】
【００７１】
［携帯通信端末１００の基本動作］
次に、図２に示した構成を有する携帯電話端末１００の基本動作について説明する。まず、自機への着信時の処理、すなわち、自機にかかってきた電話に応答する場合の処理について説明する。
【手続補正１１】
【補正対象書類名】明細書
【補正対象項目名】０１０８
【補正方法】変更
【補正の内容】
【０１０８】
また、携帯電話端末１００は、カメラモジュール１２０をも備え、被写体の画像を撮影して、これをデジタル画像データとして取り込み、ＥＥＰＲＯＭ１１１や外部メモリ１２１に格納することもできるようにしている。
【手続補正１２】
【補正対象書類名】明細書
【補正対象項目名】０１１１
【補正方法】変更
【補正の内容】
【０１１１】
また、携帯電話端末１００は、図示しない時計回路を備え、現在年月日、現在曜日、現在時刻を提供することができると共に、ＣＰＵ１３０の制御に応じて、処理時間を計測したりするなど、種々の時間間隔を計測するなどのことも出来るものである。
【手続補正１３】
【補正対象書類名】明細書
【補正対象項目名】０１１５
【補正方法】変更
【補正の内容】
【０１１５】
セレクタ３０４は、再生処理部３０５に接続されている。再生処理部３０５は、左右２チャンネルのスピーカ３０６Ｌ、３０６Ｒのそれぞれに接続されている。
【手続補正１４】
【補正対象書類名】明細書
【補正対象項目名】０１３０
【補正方法】変更
【補正の内容】
【０１３０】
［音楽再生装置３００の基本動作］
次に、図３に示した構成を有する音楽再生装置３００の基本動作について説明する。まず、操作部３２０を通じて、メディアドライブ３０１に装填された記録媒体に記録されている音楽コンテンツを再生する場合について説明する。
【手続補正１５】
【補正対象書類名】明細書
【補正対象項目名】０１３４
【補正方法】変更
【補正の内容】
【０１３４】
これにより、スピーカ３０６Ｌ、３０６Ｒからは、メディアドライブ３０１の記録媒体から読み出された音楽コンテンツに応じた音声が放音される。
【手続補正１６】
【補正対象書類名】明細書
【補正対象項目名】０１３６
【補正方法】変更
【補正の内容】
【０１３６】
この場合、制御部３１０は、ＬＡＮＩ／Ｆ３０３を制御し、ＬＡＮ接続端子３０２を通じて受信した自機宛のデータについて、制御データと音楽コンテンツとを分離して、制御データは制御部３１０に、音楽コンテンツはセレクタ３０４に供給する。
【手続補正１７】
【補正対象書類名】明細書
【補正対象項目名】０１４４
【補正方法】変更
【補正の内容】
【０１４４】
これにより、メディアドライブ３０１に装填されている音楽コンテンツが、ＬＡＮ５００に接続されている装置のうち、ユーザーによって指示された相手先に送信される。
【手続補正１８】
【補正対象書類名】明細書
【補正対象項目名】０１４６
【補正方法】変更
【補正の内容】
【０１４６】
制御部３１０は、ＬＡＮＩ／Ｆ３０３からの要求を解析し、これに応じた応答を形成して、ＬＡＮＩ／Ｆ３０３、ＬＡＮ接続端子３０２を通じてＬＡＮ５００に送出し、要求元の機器に対して、当該要求に対する応答を送信することもできるようにしている。
【手続補正１９】
【補正対象書類名】明細書
【補正対象項目名】０１４８
【補正方法】変更
【補正の内容】
【０１４８】
［パーソナルコンピュータ４００の構成例］
次に、第１の実施の形態のホームネットワークシステムに接続されるパーソナルコンピュータ４００の構成例について説明する。図４は、第１の実施の形態のホームネットワークシステムに接続されるパーソナルコンピュータ４００の構成例を説明するためのブロック図である。
【手続補正２０】
【補正対象書類名】明細書
【補正対象項目名】０１６４
【補正方法】変更
【補正の内容】
【０１６４】
同様に、入出力端子４３２に接続された外部機器との間で、外部Ｉ／Ｆ４３１を通じて種々のデータの送受を行うこともできる。すなわち、自機が保持するデータを外部Ｉ／Ｆ４３１、入出力端子４３２を通じて外部機器に提供したり、入出力端子４３２、外部Ｉ／Ｆ４３１を通じて受信したデータをＨＤＤ４０５のハードディスクに記録したりすることができる。
【手続補正２１】
【補正対象書類名】明細書
【補正対象項目名】０１７０
【補正方法】変更
【補正の内容】
【０１７０】
そして、ＬＡＮ接続端子４０３、ＬＡＮＩ／Ｆ４０４を通じて音楽コンテンツの提供要求を受信した場合、制御部４１０は、ＨＤＤ４０５から要求された音楽コンテンツを読み出し、これをＬＡＮＩ／Ｆ４０４を通じて要求先に提供する。
【手続補正２２】
【補正対象書類名】明細書
【補正対象項目名】０１８８
【補正方法】変更
【補正の内容】
【０１８８】
携帯電話端末１００のＣＰＵ１３０は、所在照会応答に基づいて、音楽再生装置３００が再生中の音楽コンテンツの提供をパーソナルコンピュータ４００に対して要求する提供要求を形成し、これをパーソナルコンピュータ４００に送信する（ステップＳ５）。
【手続補正２３】
【補正対象書類名】明細書
【補正対象項目名】０１８９
【補正方法】変更
【補正の内容】
【０１８９】
すなわち、ステップＳ５においては、携帯電話端末１００のＣＰＵ１３０が形成した提供要求を、ＬＡＮモジュール１１８、ＬＡＮ用送受信アンテナ１１９を通じてＬＡＮ５００に接続されているパーソナルコンピュータ４００に対して送信する。
【手続補正２４】
【補正対象書類名】明細書
【補正対象項目名】０１９９
【補正方法】変更
【補正の内容】
【０１９９】
図６（Ｃ）は、図５に示したステップＳ３において、携帯電話端末１００から音楽再生中の音楽再生装置３００に送信される再生している音楽コンテンツの所在照会要求のレイアウト例である。図６（Ｃ）に示すように、第１の実施の形態において、所在照会要求は、送信元ＩＤとして携帯電話端末１００の機器ＩＤがセットされ、送信先ＩＤとして音楽コンテンツ再生中の音楽再生装置３００の機器ＩＤがセットされる。
【手続補正２５】
【補正対象書類名】明細書
【補正対象項目名】０２０７
【補正方法】変更
【補正の内容】
【０２０７】
そして、図７（Ｃ）に示すように、当該データは、メインデータ（内容）として、要求に応じた音楽コンテンツ（オーディオデータ）が格納されて伝送するようにされている。これにより、携帯電話端末１００が、音楽再生装置３００により再生されている音楽コンテンツを、これを保持するパーソナルコンピュータ４００から提供を受けて利用することができるようにされる。
【手続補正２６】
【補正対象書類名】明細書
【補正対象項目名】０２１４
【補正方法】変更
【補正の内容】
【０２１４】
まず、ＣＰＵ１３０は、ＲＯＭ１０９から必要な情報を読み出して、再生機器照会の確認画面を形成し、これを表示制御部１１２によって表示部１１３に表示し、再生機器照会を行うか否かの確認入力を、キー操作部１１４を通じて受け付ける（ステップＳ１０１）。
【手続補正２７】
【補正対象書類名】明細書
【補正対象項目名】０２２１
【補正方法】変更
【補正の内容】
【０２２１】
ステップＳ１０７において、ＣＰＵ１３０は、再生中の音楽コンテンツの所在照会の確認画面を形成して、表示制御部１１２を通じて表示部１１３に表示し、所在照会を行うか否かの確認入力を、キー操作部１１４を通じて受け付ける。
【手続補正２８】
【補正対象書類名】明細書
【補正対象項目名】０２２４
【補正方法】変更
【補正の内容】
【０２２４】
第２に、ＣＰＵ１３０は、形成した当該確認画面を、表示制御部１１２を通じて表示部１１３に表示し、再生コンテンツの所在照会を行うか否かの確認入力を、キー操作部１１４を通じて受け付ける。
【手続補正２９】
【補正対象書類名】明細書
【補正対象項目名】０２３１
【補正方法】変更
【補正の内容】
【０２３１】
ｂステップＳ１１３において、ＣＰＵ１３０は、再生中の音楽コンテンツのダウンロードの確認画面を形成して、表示制御部１１２を通じて表示部１１３に表示し、ダウンロードを行うか否かの確認入力を、キー操作部１１４を通じて受け付ける。
【手続補正３０】
【補正対象書類名】明細書
【補正対象項目名】０２３４
【補正方法】変更
【補正の内容】
【０２３４】
第２に、ＣＰＵ１３０は、当該確認画面を、表示制御部１１２を通じて表示部１１３に表示し、再生中の音楽コンテンツのダウンロードを行うか否かの確認入力を、キー操作部１１４を通じて受け付ける。
【手続補正３１】
【補正対象書類名】明細書
【補正対象項目名】０２４５
【補正方法】変更
【補正の内容】
【０２４５】
ステップＳ２０２の判断処理において、他の機器からの要求を受信したと判断したときには、制御部３１０は、受信した要求は、機器照会要求か否かを判断する（ステップＳ２０３）。
【手続補正３２】
【補正対象書類名】明細書
【補正対象項目名】０２６７
【補正方法】変更
【補正の内容】
【０２６７】
図１０Ｅに示した音楽コンテンツのダウンロード要求の確認画面において、キー操作部１１４を通じてダウンロードを行うようにする操作（表示されたＯＫアイコンを選択する操作）を行うことにより、音楽コンテンツのダウンロード要求（提供要求）が形成されて送信される。そして、図８に示したステップＳ１１６において、図１０Ｆに示すダウンロード中画面が、携帯電話端末１００の表示部１１３の表示画面１１３Ｇに表示される。
【手続補正３３】
【補正対象書類名】明細書
【補正対象項目名】０３０６
【補正方法】変更
【補正の内容】
【０３０６】
すなわち、ステップＳ１２８においては、ステップＳ１２７においてアルバムダウンロード画面のキャンセルアイコンが選択された場合には、再生中の音楽コンテンツを含むアルバム全体のダウンロードは指示されていないと判断し、ステップＳ１３０の処理を行う。
【手続補正３４】
【補正対象書類名】明細書
【補正対象項目名】０３１３
【補正方法】変更
【補正の内容】
【０３１３】
図１４（Ｂ）に示すように、ステップＳ１３２で送出される要求は、送信元ＩＤ、送信先ＩＤを有すると共に、再生中の音楽コンテンツのアーティストの音楽コンテンツをまとめてダウンロードすることを要求するダウンロード要求が、送信する内容とされたものである。なお、この例の場合、送信元ＩＤには携帯電話端末１００のＩＤが、また、送信先ＩＤにはパーソナルコンピュータ４００のＩＤが入力される。
【手続補正３５】
【補正対象書類名】明細書
【補正対象項目名】０３１４
【補正方法】変更
【補正の内容】
【０３１４】
そして、ステップＳ１３２の処理の後、上述したステップＳ１２４からの処理が行われる。
【手続補正３６】
【補正対象書類名】明細書
【補正対象項目名】０３５１
【補正方法】変更
【補正の内容】
【０３５１】
なお、この第２の実施の形態においては、図１に示したホームネットワークシステムに対して、さらにもう１台、音楽再生装置３００が接続された場合を例にして説明する。すなわち、音楽再生装置３００Ａと、音楽再生装置３００Ｂと、パーソナルコンピュータ４００とが接続されているＬＡＮ５００に対して、携帯電話端末１００が無線ルータ２００にアクセスする場合を例にして説明する。
【手続補正３７】
【補正対象書類名】明細書
【補正対象項目名】０３６８
【補正方法】変更
【補正の内容】
【０３６８】
選択された音楽再生装置３００Ａは、ＬＡＮ接続端子３０２、ＬＡＮＩ／Ｆ３０３を通じて、自機宛の音楽コンテンツの所在照会要求を受信すると、これを制御部３１０に通知する。音楽再生装置３００Ａは、上述のように再生中の音楽コンテンツの提供を実際に受けており、制御部３１０は、当該再生中の音楽コンテンツは、どこに存在するかを把握している。
【手続補正３８】
【補正対象書類名】明細書
【補正対象項目名】０３６９
【補正方法】変更
【補正の内容】
【０３６９】
このため、所在照会要求を受信した音楽再生装置３００Ａの制御部３１０は、再生中の音楽コンテンツについての所在照会応答を形成し、これをＬＡＮＩ／Ｆ３０３、ＬＡＮ接続端子３０２を通じて要求元の携帯電話端末１００に送信する（ステップＳ３０）。
【手続補正３９】
【補正対象書類名】明細書
【補正対象項目名】０３９３
【補正方法】変更
【補正の内容】
【０３９３】
選択された音楽再生装置３００Ａは、ＬＡＮ接続端子３０２、ＬＡＮＩ／Ｆ３０３を通じて、自機宛の音楽コンテンツの所在照会要求を受信すると、これを制御部３１０に通知する。音楽再生装置３００Ａは、上述のように再生中の音楽コンテンツの提供を実際に受けており、制御部３１０は、当該再生中の音楽コンテンツは、どこに存在するかを把握している。
【手続補正４０】
【補正対象書類名】明細書
【補正対象項目名】０３９４
【補正方法】変更
【補正の内容】
【０３９４】
このため、所在照会要求を受信した音楽再生装置３００Ａの制御部３１０は、再生中の音楽コンテンツについての所在照会応答を形成し、これをＬＡＮＩ／Ｆ３０３、ＬＡＮ接続端子３０２を通じて要求元の携帯電話端末１００に送信する（ステップＳ４８）。
【手続補正４１】
【補正対象書類名】明細書
【補正対象項目名】０４１４
【補正方法】変更
【補正の内容】
【０４１４】
第２のコンテンツ所在通知方法の発明は、 
上記（１）〜（３）の処理に先立って、 
（Ａ）再生機器を問い合わせる機器照会要求を受信した場合に、 
（Ｂ）自機がコンテンツを再生していれば、これに応じて自機がコンテンツ再生中の機器であることを示す機器照会応答を返信するようにしたものであり、主に、第１の実施の形態として、図５、図９を用いて説明した部分に相当する。
【手続補正４２】
【補正対象書類名】明細書
【補正対象項目名】０４１７
【補正方法】変更
【補正の内容】
【０４１７】
第２のコンテンツ取得プログラムの発明は、
上記（１）〜（５）の処理に先立って、
（Ａ）コンテンツ再生中の機器を問い合わせる機器照会要求を送信するステップと、
（Ｂ）これに応じて送信されてくる機器照会応答により、コンテンツ再生機器を特定するステップとをさらに携帯電話端末１００のＣＰＵ１３０が実行し、これによって特定したコンテンツ再生機器に対して、上記（１）のステップを実行するようにしたプログラムであり、主に、第１の実施の形態として、図５、図８、図１５を用いて説明した処理を、携帯電話端末１００のＣＰＵ１３０が実行することにより、携帯電話端末１００の各部を制御するようにしたものである。
【手続補正４３】
【補正対象書類名】明細書
【補正対象項目名】０４１８
【補正方法】変更
【補正の内容】
【０４１８】
第３のコンテンツ取得プログラムの発明は、 
上記（Ａ）、（Ｂ）に加えて、複数の機器から機器照会応答が送信されてきた場合に、携帯電話端末のユーザーがどのコンテンツ再生機器を対象とするかを選択可能するステップを有するようにしたものであり、第２の実施の形態として、図１６、図１７を用いて説明した処理を、携帯電話端末１００のＣＰＵ１３０が実行することにより、携帯電話端末１００の各部を制御するようにしたものである。
【手続補正４４】
【補正対象書類名】明細書
【補正対象項目名】０４２０
【補正方法】変更
【補正の内容】
【０４２０】
すなわち、第１のコンテンツ所在通知プログラムは、 
（１）通信手段を通じてネットワークに接続するステップと、 
（２）自機においてコンテンツを再生するステップと、 
（３）再生しているコンテンツの所在照会要求を受信した場合に、自機が保持する情報に基づいて、再生中のコンテンツの所在を通知する所在照会応答を形成して、要求元に返信するステップとからなるプログラムであり、主に、第１の実施の形態として図５、図９を用いて説明した一部の処理を、音楽再生装置３００の制御部３１０が実行することにより、音楽再生装置３００の各部を制御するようにしたものである。
【手続補正４５】
【補正対象書類名】明細書
【補正対象項目名】０４２１
【補正方法】変更
【補正の内容】
【０４２１】
第２のコンテンツ所在通知プログラムの発明は、
上記（１）〜（３）の処理に先立って、
（Ａ）再生機器を問い合わせる機器照会要求を受信するステップと、
（Ｂ）機器照会要求を受信した場合に、自機がコンテンツを再生していれば、これに応じて自機がコンテンツ再生中の機器であることを示す機器照会応答を返信するステップとをさらに音楽再生装置３００の制御部３１０が実行するようにしたプログラムであり、主に、第１の実施の形態として、図５、図９、図１５を用いて説明した音楽再生装置３００の処理を音楽再生装置３００の制御部３１０が実行することにより、音楽再生装置３００の各部を制御するようにしたものである。
【手続補正４６】
【補正対象書類名】明細書
【補正対象項目名】０４２８
【補正方法】変更
【補正の内容】
【０４２８】
【図１】第１の実施の形態のホームネットワークシステム（コンテンツ利用システム）の概要を説明するための図である。
【図２】この発明の携帯電子機器の一実施の形態が適用された、携帯電話端末１００の構成例を説明するためのブロック図である。
【図３】この発明のコンテンツ再生装置の一実施の形態が適用された音楽再生装置３００の構成例を説明するためのブロック図である。
【図４】第１の実施の形態のホームネットワークシステムに接続されるパーソナルコンピュータ４００の構成例を説明するためのブロック図である。
【図５】パーソナルコンピュータ４００からの音楽コンテンツを音楽再生機器３００が再生している場合に、当該音楽コンテンツを携帯電話端末１００がダウンロードする婆の書く機器間の動作を説明するためのシーケンス図である。
【図６】第１の実施の形態のホームネットワークシステムにおいて、各機器間で送受される要求や応答のレイアウト例を説明するための図である。
【図７】第１の実施の形態のホームネットワークシステムにおいて、各機器間で送受される要求や応答のレイアウト例を説明するための図である。
【図８】携帯電話端末１００の動作を説明するためのフローチャートである。
【図９】音楽再生装置３００の動作を説明するためのフローチャートである。
【図１０】第１の実施の形態の携帯電話端末１００の画面遷移の例を説明するための図である。
【図１１】第１の実施の形態の変形例１の場合の処理を説明するためのシーケンス図である。
【図１２】第１の実施の形態の変形例１の場合の携帯電話端末１００の動作を説明するためのフローチャートである。
【図１３】図１２に示した処理において、携帯電話端末１００の表示部１１３の表示画面１１３Ｇに表示される表示画面の表示例を示す図である。
【図１４】図１２に示した処理において、携帯電話端末１００からパーソナルコンピュータ４００に送信されるダウンロード要求のレイアウト例を示す図である。
【図１５】第１の実施の形態の変形例２の場合の処理を説明するためのシーケンス図である。
【図１６】第２の実施の形態のホームネットワークシステムの場合の処理を説明するためのシーケンス図である。
【図１７】第２の実施の形態の変形例の処理を説明するためのシーケンス図である。
【図１８】ＤＬＮＡに準拠した民生用電子機器のホームネットワークシステムの従来の構成例を説明するための図である。